(57)【要約】【課題】端子のガタツキを抑制することができるコネクタを提供することを目的とする。【解決手段】ワイヤハーネスＷＨに適用されるコネクタ１は、円筒状に形成されると共に外面から突出して設けられる端子突起部２２を有する端子２と、円柱状に形成され端子挿入開口３１ａから前記端子２を挿入可能である端子挿入孔３１、前記端子２が前記端子挿入孔３１に挿入された状態で前記端子突起部２２が嵌合し係止される係止凹部３２、及び、前記端子突起部２２が前記係止凹部３２に嵌合し係止された状態で、前記端子突起部２２と当接し前記端子２の周方向両側への回転を規制する一対の回転規制壁面３２ｂを有するコネクタハウジング３とを備え、回転規制壁面３２ｂは、先端を有する突起壁体４４ｂの表面に形成され、コネクタハウジング３は、樹脂成形によって構成され、突起壁体４４ｂが樹脂の最終充填位置となる。【選択図】図１
2016134224.tif 000002
【特許請求の範囲】
【請求項１】
円筒状に形成されると共に外面から突出して設けられる端子突起部を有する端子と、
円柱状に形成され端子挿入開口から前記端子を挿入可能である端子挿入孔、前記端子が前記端子挿入孔に挿入された状態で前記端子突起部が嵌合し係止される係止凹部、及び、前記端子突起部が前記係止凹部に嵌合し係止された状態で、前記端子突起部と当接し前記端子の周方向両側への回転を規制する一対の回転規制壁面を有するコネクタハウジングとを備え、
前記回転規制壁面は、先端を有する突起壁体の表面に形成され、
前記コネクタハウジングは、樹脂成形によって構成され、前記突起壁体が樹脂の最終充填位置となることを特徴とする、
コネクタ。
【請求項２】
前記コネクタハウジングは、前記端子の挿入方向に沿って前記端子挿入開口側から前記係止凹部側に向かって螺旋状に形成され前記端子突起部が当接可能であり前記端子挿入開口を介した前記端子挿入孔への前記端子の挿入に伴って前記端子突起部を周方向の一方側に回転させながら前記係止凹部側に案内可能である第１螺旋ガイド面、前記端子挿入孔を形成する挿入孔壁面に前記挿入方向に沿って前記端子挿入開口側から前記係止凹部側に向かって螺旋状に形成され前記端子突起部が当接可能であり前記端子挿入開口を介した前記端子挿入孔への前記端子の挿入に伴って前記端子突起部を周方向の他方側に回転させながら前記係止凹部側に案内可能である第２螺旋ガイド面、及び、前記第１螺旋ガイド面の前記端子挿入開口側の端部と前記第２螺旋ガイド面の前記端子挿入開口側の端部とが接続されることで角部状に形成され前記端子挿入開口を介した前記端子挿入孔への前記端子の挿入に伴って前記端子突起部を前記第１螺旋ガイド面側又は前記第２螺旋ガイド面側のいずれか一方に振り分け可能である振分部を有する、
請求項１に記載のコネクタ。
【発明の詳細な説明】
【技術分野】
【０００１】
本発明は、コネクタに関する。
【背景技術】
【０００２】
ワイヤハーネスに適用される従来のコネクタとして、例えば、特許文献１、２には、電気接触部（電気接続部）が円筒形状に形成された丸形端子を用いたコネクタが開示されている。
【先行技術文献】
【特許文献】
【０００３】
【特許文献１】特開２０１１−２２８１４３号公報
【特許文献２】特開２０１２−０６９４６４号公報
【発明の概要】
【発明が解決しようとする課題】
【０００４】
ところで、上述の特許文献１、２に記載のコネクタは、端子のガタツキ抑制の点で更なる改善の余地がある。
【０００５】
本発明は、上記の事情に鑑みてなされたものであって、端子のガタツキを抑制することができるコネクタを提供することを目的とする。
【課題を解決するための手段】
【０００６】
上記目的を達成するために、本発明に係るコネクタは、円筒状に形成されると共に外面から突出して設けられる端子突起部を有する端子と、円柱状に形成され端子挿入開口から前記端子を挿入可能である端子挿入孔、前記端子が前記端子挿入孔に挿入された状態で前記端子突起部が嵌合し係止される係止凹部、及び、前記端子突起部が前記係止凹部に嵌合し係止された状態で、前記端子突起部と当接し前記端子の周方向両側への回転を規制する一対の回転規制壁面を有するコネクタハウジングとを備え、前記回転規制壁面は、先端を有する突起壁体の表面に形成され、前記コネクタハウジングは、樹脂成形によって構成され、前記突起壁体が樹脂の最終充填位置となることを特徴とする。
【０００７】
また、上記コネクタでは、前記コネクタハウジングは、前記端子の挿入方向に沿って前記端子挿入開口側から前記係止凹部側に向かって螺旋状に形成され前記端子突起部が当接可能であり前記端子挿入開口を介した前記端子挿入孔への前記端子の挿入に伴って前記端子突起部を周方向の一方側に回転させながら前記係止凹部側に案内可能である第１螺旋ガイド面、前記端子挿入孔を形成する挿入孔壁面に前記挿入方向に沿って前記端子挿入開口側から前記係止凹部側に向かって螺旋状に形成され前記端子突起部が当接可能であり前記端子挿入開口を介した前記端子挿入孔への前記端子の挿入に伴って前記端子突起部を周方向の他方側に回転させながら前記係止凹部側に案内可能である第２螺旋ガイド面、及び、前記第１螺旋ガイド面の前記端子挿入開口側の端部と前記第２螺旋ガイド面の前記端子挿入開口側の端部とが接続されることで角部状に形成され前記端子挿入開口を介した前記端子挿入孔への前記端子の挿入に伴って前記端子突起部を前記第１螺旋ガイド面側又は前記第２螺旋ガイド面側のいずれか一方に振り分け可能である振分部を有するものとすることができる。
【発明の効果】
【０００８】
本発明に係るコネクタは、端子突起部が係止凹部に嵌合し係止された状態で、端子突起部と一対の回転規制壁面とが当接することで、当該端子の周方向両側への回転を規制することができる。この結果、コネクタは、丸形端子である端子の周方向に対するガタツキを抑制することができる、という効果を奏する。
【図面の簡単な説明】
【０００９】
【図１】図１は、実施形態に係るコネクタの概略構成を表す断面図である。
【図２】図２は、実施形態に係るコネクタの概略構成を表す斜視図である。
【図３】図３は、実施形態に係るコネクタの概略構成を表す斜視図である。
【図４】図４は、実施形態に係るコネクタの概略構成を表す部分断面斜視図である。
【図５】図５は、実施形態に係るコネクタの端子を表す分解斜視図である。
【図６】図６は、実施形態に係るコネクタの端子を表す斜視図である。
【図７】図７は、実施形態に係るコネクタの端子を表す側面図である。
【図８】図８は、実施形態に係るコネクタのランス部を表す部分斜視図である。
【図９】図９は、図１に示すＡ−Ａ部分断面図である。
【図１０】図１０は、図１に示すＢ−Ｂ部分断面図である。
【図１１】図１１は、図１に示すＣ−Ｃ部分断面図である。
【図１２】図１２は、図１に示すＤ−Ｄ部分断面図である。
【図１３】図１３は、実施形態に係るコネクタの振分部を表す部分斜視図である。
【図１４】図１４は、実施形態に係るコネクタの押上部を表す部分斜視図である。
【図１５】図１５は、実施形態に係るコネクタの動作を説明する部分断面斜視図である。
【図１６】図１６は、実施形態に係るコネクタの動作を説明する部分断面斜視図である。
【図１７】図１７は、実施形態に係るコネクタの動作を説明する部分断面斜視図である。
【図１８】図１８は、実施形態に係るコネクタの動作を説明する部分断面図である。
【図１９】図１９は、実施形態に係る押上部の作用を説明する模式図である。
【図２０】図２０は、実施形態に係るコネクタの概略構成を表す断面図である。
【発明を実施するための形態】
【００１０】
以下に、本発明に係る実施形態を図面に基づいて詳細に説明する。なお、この実施形態によりこの発明が限定されるものではない。また、下記実施形態における構成要素には、当業者が置換可能かつ容易なもの、あるいは実質的に同一のものが含まれる。
【００１１】
［実施形態］
図１、図２０は、実施形態に係るコネクタの概略構成を表す断面図である。図１は、スペーサが端子挿入位置にある状態を表し、図２０は、スペーサが二重係止位置にある状態を表す。図２、図３は、実施形態に係るコネクタの概略構成を表す斜視図である。図４は、実施形態に係るコネクタの概略構成を表す部分断面斜視図である。図５は、実施形態に係るコネクタの端子を表す分解斜視図である。図６は、実施形態に係るコネクタの端子を表す斜視図である。図７は、実施形態に係るコネクタの端子を表す側面図である。図８は、実施形態に係るコネクタのランス部を表す部分斜視図である。図９は、図１に示すＡ−Ａ部分断面図である。図１０は、図１に示すＢ−Ｂ部分断面図である。図１１は、図１に示すＣ−Ｃ部分断面図である。図１２は、図１に示すＤ−Ｄ部分断面図である。図１３は、実施形態に係るコネクタの振分部を表す部分斜視図である。図１４は、実施形態に係るコネクタの押上部を表す部分斜視図である。図１５、図１６、図１７は、実施形態に係るコネクタの動作を説明する部分断面斜視図である。図１８は、実施形態に係るコネクタの動作を説明する部分断面図である。図１９は、実施形態に係る押上部の作用を説明する模式図である。なお、図１、図２０は、相手方コネクタを二点鎖線で図示している。また、図１、図５、図６、図７以外は、端子に接続される電線の図示を省略している（ただし、図１では二点鎖線で図示している。）。また、図９、図１０、図１１、図１２は、対応する断面位置に端子突起部が位置している状態の端子を二点鎖線で図示している。
【００１２】
図１等に示す本実施形態のコネクタ１は、例えば、自動車等に使用されるワイヤハーネスＷＨ等に適用される。ここでは、コネクタ１は、ワイヤハーネスＷＨを構成する電線３０１（図５等参照）と電気機器としてのＥＣＵ（Ｅｌｅｃｔｒｏｎｉｃ  Ｃｏｎｔｒｏｌ  Ｕｎｉｔ）との接続に使用されるメス型のＥＣＵコネクタである。コネクタ１は、ワイヤハーネスＷＨを構成する電線３０１の末端に接続され、ＥＣＵ側に接続される相手方コネクタ２０１（図１に二点鎖線で図示）に嵌合して電気的に接続される。ここで、相手方コネクタ２０１は、オス型のＥＣＵコネクタであり、相手方端子としてのオス型の端子２０２と、端子２０２を保持するオス型のコネクタハウジング２０３とを備える。コネクタハウジング２０３は、コネクタ１が嵌合する嵌合空間部２０３ａに端子２０２が露出するようにして当該端子２０２を保持する。本実施形態のコネクタ１は、メス型の端子２と、端子２を保持するメス型のコネクタハウジング３とを備え、コネクタハウジング３が相手方コネクタ２０１の嵌合空間部（フード部という場合がある。）２０３ａに嵌合し、端子２が相手方コネクタ２０１の端子２０２と電気的に接続される。以下、各図を参照してコネクタ１の構成について詳細に説明する。
【００１３】
なお、以下の説明では、コネクタ１において円柱状に形成される端子挿入孔３１の中心軸線に沿った方向を軸方向といい、中心軸線と直交する方向、すなわち、軸方向に直交する方向を径方向といい、中心軸線周りの方向を周方向という。また、径方向において中心軸線側を径方向内側といい、反対側を径方向外側という。以下の説明で用いる各方向は、特に断りのない限り、各部が相互に組み付けられた状態での方向を表すものとする。なお、軸方向は、コネクタハウジング３に形成された端子挿入孔３１に端子２を挿入する際の挿入方向に沿った方向であり、挿入方向前側に相手方コネクタ２０１が位置し、挿入方向後側に電線３０１が延在する。上述の端子２０２は、当該挿入方向（軸方向）に沿って延在する。
【００１４】
端子２は、図１、図２、図３、図４、図５、図６、図７に示すように、円筒状に形成されたメス型の丸形端子として構成される。端子２は、外面から突出して設けられる端子突起部２２を有し、電線３０１の末端に接続される。端子２は、コネクタハウジング３に形成された端子挿入孔３１に挿入され収容されることでコネクタ１を構成するコネクタ用のメス端子である。
【００１５】
具体的には、端子２は、電気接続部２１と、端子突起部２２と、電線接続部２３と、位置決め凹部２４とを含み、全体が導電性の金属によって構成される。端子２は、例えば、電気接続部２１、端子突起部２２、電線接続部２３、位置決め凹部２４等の各部に対応した形状に打ち抜かれた一枚の板金をプレス成形することにより各部が一体で形成される。端子２は、電気接続部２１が円筒状に形成される。
【００１６】
電気接続部２１は、相手方端子としての端子２０２と電気接続するための部分であり、端子２において挿入方向前側の端部を構成する。電気接続部２１は、円筒状に形成される。電気接続部２１は、径方向に沿った断面形状が正円形状であるが製造誤差等に応じて多少偏平となることは許容される。電気接続部２１は、挿入方向前側が開口した円筒状に形成される円筒状部（ボックス部）２１ａと、円筒状部２１ａの内部に配設された弾性接触バネ２１ｂとを含んで構成される。電気接続部２１は、例えば、上記のように所定の形状に打ち抜かれた板金において弾性接触バネ２１ｂの部分が内側となるように折り返されると共に円筒状部２１ａの部分の端縁同士を突き合わせることで形成されている。円筒状部２１ａは、中心軸線が挿入方向（軸方向）に沿い、弾性接触バネ２１ｂは、挿入方向に沿って帯状に形成される。弾性接触バネ２１ｂは、挿入方向後側の端部が円筒状部２１ａと接続されて基端部を構成し挿入方向前側に向けて延在して形成されることで片持バネを構成し、径方向に沿って撓み変形可能とされる。電気接続部２１は、円筒状部２１ａの内部に相手方端子としての端子２０２が挿入されると共に弾性接触バネ２１ｂが円筒状部２１ａの内部に挿入された端子２０２によって押圧され径方向に弾性変形し、当該弾性変形に伴って生じる弾性反力により、弾性接触バネ２１ｂと円筒状部２１ａの内周面との間に端子２０２を挟持する。電気接続部２１は、円筒状部２１ａの内周面から内側に向けて突出するようにして形成された２つの接点部２１ｃ、２１ｄ、及び、弾性接触バネ２１ｂに突出するようにして形成された１つの接点部２１ｅ、合計３つの接点部２１ｃ、２１ｄ、２１ｅで端子２０２と電気的に接続される。接点部２１ｃ、２１ｄ、２１ｅは、それぞれ電気接続部２１を構成する板金にインデント（押圧変形による凹部）を設けることで形成される。なお、端子２０２は、典型的には、角形端子であるがこれに限らず丸形端子であってもよい。
【００１７】
端子突起部２２は、電気接続部２１の外周面に形成される。端子突起部２２は、電気接続部２１の外周面から外側に向けて突出して形成される。端子突起部２２は、電気接続部２１を構成する板金に、頂点が曲面状をなす半砲弾型のインデント（内側から外側に向けた押圧変形による凹部）を設けることで形成される。端子突起部２２は、半砲弾型の頂点側が挿入方向前側を向くようにして形成される。端子突起部２２は、挿入方向に視て略扇形状に形成されると共に、挿入方向後側の端面が後述するコネクタハウジング３の係止凹部３２に係止される係止面２２ａを構成する。端子突起部２２は、電気接続部２１において軸方向の中央部よりやや前側に形成される。
【００１８】
電線接続部２３は、電線３０１と電気接続するための部分であり、端子２において電気接続部２１の挿入方向後側に設けられる。電線接続部２３は、導体圧着部２５及び被覆接続部２６を含んで構成される。被覆接続部２６は、端子２において挿入方向後側の端部を構成し、導体圧着部２５は、電気接続部２１と被覆接続部２６との間に位置する。ここで、電線３０１は、例えば、複数の導電性の金属素線を撚り合わせた導体部３０２と、当該導体部３０２の外側を覆う絶縁性の被覆部３０３とを含んで構成される。電線３０１は、端末において導体部３０２が被覆部３０３から露出している。電線接続部２３は、導体部３０２を導体圧着部２５で覆い、被覆部３０３の端末を被覆接続部２６で覆うと共に、導体圧着部２５、被覆接続部２６が加締められることで電線３０１と電気接続される。
【００１９】
位置決め凹部２４は、後述のスペーサ５の一部が嵌合されることでコネクタハウジング３に係止されるための凹部である。位置決め凹部２４は、電気接続部２１と導体圧着部２５との間に形成される。
【００２０】
コネクタハウジング３は、図１、図２、図３、図４に示すように、端子２を保持するものであり、全体が絶縁性の合成樹脂材等によって構成される。コネクタハウジング３は、端子挿入孔３１に対して挿入方向後側から端子２が挿入され、これを保持する。本実施形態のコネクタハウジング３は、多数の端子挿入孔３１、図３、図４の例では、９個の端子挿入孔３１を有し、各端子挿入孔３１にそれぞれ端子２が挿入される。なお、以下の説明では、複数の端子挿入孔３１のうちの１つについて説明し、各端子挿入孔３１の共通の説明とする。また、このコネクタハウジング３の説明では、適宜、図８、図９、図１０、図１１、図１２、図１３、図１４を参照する。
【００２１】
具体的には、コネクタハウジング３は、端子挿入孔３１と、係止凹部３２と、第１螺旋ガイド面３３と、第２螺旋ガイド面３４（図９、図１０、図１１等参照）と、振分部３５と、押上部３６とを有する。端子挿入孔３１は、略円柱状に形成され端子挿入開口３１ａから端子２を挿入可能である。上述した端子２は、当該端子挿入孔３１の中心軸線に沿った軸方向に沿って挿入される。つまり、端子２の挿入方向は、当該端子挿入孔３１の軸方向に沿った方向となる。そして、係止凹部３２、第１螺旋ガイド面３３、第２螺旋ガイド面３４、振分部３５、押上部３６等の各部は、当該端子挿入孔３１内、あるいは、当該端子挿入孔３１の近傍に形成される。
【００２２】
ここで、本実施形態のコネクタハウジング３は、第１ハウジングとしてのハウジング本体４と第２ハウジングとしてのスペーサ５と第３ハウジングとしてのフロントホルダー６とを含んで構成される。コネクタハウジング３は、これらハウジング本体４とスペーサ５とフロントホルダー６とが分割された状態で個別に成形されたものを相互に組み付ける分割構造となっている。端子挿入孔３１は、軸方向（挿入方向）に沿ってハウジング本体４とスペーサ５とフロントホルダー６とに渡って形成される。端子挿入開口３１ａ、係止凹部３２は、ハウジング本体４に形成される。第１螺旋ガイド面３３、第２螺旋ガイド面３４（図９、図１０、図１１参照）は、軸方向（挿入方向）に沿ってハウジング本体４とスペーサ５とに渡って形成される。振分部３５、押上部３６は、スペーサ５に形成される。
【００２３】
ハウジング本体４は、略直方体状に形成され、端子挿入孔３１を構成する本体部挿入孔４１が形成されると共にスペーサ５が嵌合するためのスペーサ嵌合凹部４２が形成されている。本体部挿入孔４１は、円柱状の空間部として形成され、ハウジング本体４を軸方向（挿入方向）に貫通すると共に一部がスペーサ嵌合凹部４２によって分断されている。本体部挿入孔４１は、軸方向一方側（挿入方向後側）の開口が端子挿入開口３１ａを構成する。より詳細には、ハウジング本体４は、略直方体状に形成された本体部４３と、本体部４３から突出するランス部４４と、ランス部４４が突出した空間を囲うフード部４５とを含んで構成される。上記端子挿入開口３１ａは、当該本体部４３の挿入方向後側の面に形成され、上記のスペーサ嵌合凹部４２は、本体部４３に形成される。ランス部４４は、図８にも示すように、本体部４３の挿入方向前側の面から挿入方向に沿って突出して形成される。ランス部４４は、挿入方向（軸方向）と直交する方向の断面形状が略樋状（凹形状）に形成され、当該樋状の部分により本体部挿入孔４１の一部を構成する。上記本体部挿入孔４１は、本体部４３とランス部４４とに渡って連続するようにして形成されている。フード部４５は、本体部４３の挿入方向前側の面の各辺が挿入方向前側に突出するようにして矩形枠状に形成される。ランス部４４は、当該フード部４５の内側に形成された空間部に突出するようにして形成される。
【００２４】
スペーサ５は、スペーサ嵌合凹部４２に嵌合可能な大きさの略矩形板状に形成され、当該スペーサ嵌合凹部４２に着脱可能に組み付けられる。スペーサ５は、ハウジング本体４のスペーサ嵌合凹部４２に対して軸方向（挿入方向）と直交する径方向に沿って着脱可能である。スペーサ５は、ハウジング本体４に対して端子挿入開口３１ａと後述する係止凹部３２との間に着脱可能に組み付けられる。スペーサ５は、端子挿入孔３１を構成するスペーサ部挿入孔５１が形成される。スペーサ部挿入孔５１は、円柱状の空間部として形成され、スペーサ５を軸方向（挿入方向）に貫通する。スペーサ部挿入孔５１は、スペーサ５がハウジング本体４の本体部４３に適正に組み付けられた状態で、軸方向に対して、スペーサ嵌合凹部４２によって分断された本体部挿入孔４１に挟まれる位置に形成される。スペーサ部挿入孔５１は、軸方向に沿って本体部挿入孔４１と並んで対向し、ここでは、当該本体部挿入孔４１と連続する。
【００２５】
フロントホルダー６は、ハウジング本体４の端子挿入開口３１ａが形成される側とは反対（挿入方向前側）の端面を覆うことができる蓋状に形成される。フロントホルダー６は、１つの面が開口した矩形箱状に形成され、フード部４５に装着されることで、ハウジング本体４の挿入方向前側の端面を覆うようにハウジング本体４に組み付けられる。上述のランス部４４は、当該フロントホルダー６とハウジング本体４の本体部４３、フード部４５とに区画される空間部に位置する。フロントホルダー６は、端子挿入孔３１を構成するホルダー部挿入孔６１が形成される。ホルダー部挿入孔６１は、円柱状の空間部として形成され、フロントホルダー６を軸方向（挿入方向）に貫通する。より詳細には、フロントホルダー６は、筒状部６２を含んで構成される。筒状部６２は、一部が切り欠かれた円筒状に形成される部分であり、挿入方向後側に向けて形成される。つまり、筒状部６２は、ランス部４４が位置する空間部側に突出するようにして形成される。ホルダー部挿入孔６１は、筒状部６２の内周面側の空間部として形成される。ホルダー部挿入孔６１は、フロントホルダー６がハウジング本体４に適正に組み付けられた状態で、軸方向に対して、本体部挿入孔４１の挿入方向前側で、当該本体部挿入孔４１と軸方向に沿って並んで対向する位置に形成される。ホルダー部挿入孔６１は、軸方向他方側（挿入方向前側）の開口が相手方端子挿入開口３１ｂを構成する。ホルダー部挿入孔６１は、当該相手方端子挿入開口３１ｂの部分が略矩形状の断面形状となっている。相手方端子挿入開口３１ｂは、挿入方向に対して、ハウジング本体４の本体部挿入孔４１とは反対側に形成され、端子２と電気的に接続される相手方端子である端子２０２が挿入される開口である。フロントホルダー６は、コネクタハウジング３に複数設けられる各端子２が各端子挿入孔３１に挿入され端子突起部２２が後述の係止凹部３２に係止された状態で、各端子２の挿入方向前側において、筒状部６２が、隣接する各端子２間の仕切り壁として機能すると共に端子２の挿入方向前側のガタツキを抑える。
【００２６】
端子挿入孔３１は、ハウジング本体４とスペーサ５とフロントホルダー６とが適正な位置で組み付けられた状態で本体部挿入孔４１とスペーサ部挿入孔５１とホルダー部挿入孔６１とが軸方向（挿入方向）に並んで対向する。これにより、端子挿入孔３１は、軸方向（挿入方向）に沿ってハウジング本体４とスペーサ５とフロントホルダー６とに渡って形成される１つの円柱状の空間部を構成する。当該端子挿入孔３１は、端子２を保持するキャビティと呼ばれることもある。
【００２７】
なお、このコネクタハウジング３は、本体部挿入孔４１とスペーサ部挿入孔５１とホルダー部挿入孔６１とが軸方向に並んで対向する適正な位置関係で、ハウジング本体４とスペーサ５とを相互に係止するための係止機構、ハウジング本体４とフロントホルダー６とを相互に係止するための係止機構をそれぞれ有している。また、端子挿入孔３１（本体部挿入孔４１、スペーサ部挿入孔５１、ホルダー部挿入孔６１）は、必ずしも軸方向に沿って連続する必要はなく、さらに、端子挿入孔３１（本体部挿入孔４１、スペーサ部挿入孔５１、ホルダー部挿入孔６１）を形成する挿入孔壁面３１ｃは、上記のランス部４４の部分のように、部分的に切り欠かれている部分が存在することが許容される。また、以下の説明では、図１等に示すように、端子挿入孔３１を形成する挿入孔壁面３１ｃのうち、本体部挿入孔４１を形成する壁面を本体部挿入孔壁面４１ａ、スペーサ部挿入孔５１を形成する壁面をスペーサ部挿入孔壁面５１ａ、ホルダー部挿入孔６１を形成する壁面をホルダー部挿入孔壁面６１ａという場合がある。
【００２８】
係止凹部３２は、端子２が端子挿入孔３１に挿入された状態で端子突起部２２が嵌合し係止される部分である。係止凹部３２は、ハウジング本体４に形成される。より詳細には、係止凹部３２は、図８、図１２にも示すように、ハウジング本体４のランス部４４の挿入方向前側の端部に形成される。係止凹部３２は、ランス部４４の挿入方向前側の端部の一部が挿入方向後側に窪むことで形成される。さらに言えば、係止凹部３２は、本体部４３から挿入方向前側に突出するランス部４４の基端部４４ａと、当該基端部４４ａから挿入方向前側に突出する一対の突起壁体４４ｂとによって形成される。一対の突起壁体４４ｂは、挿入方向前側に先端を有し、挿入方向と直交する方向に相互に間隔をあけて形成される。係止凹部３２は、ランス部４４の基端部４４ａの挿入方向前側の壁面と、一対の突起壁体４４ｂの互いに向かい合う壁面とによって区画される空間部として形成される。係止凹部３２は、端子２の端子突起部２２が当該係止凹部３２に嵌合し係止された状態で、基端部４４ａの挿入方向前側の壁面が抜け規制壁面３２ａを構成し、一対の突起壁体４４ｂの互いに向かい合う壁面が一対の回転規制壁面３２ｂを構成する。抜け規制壁面３２ａは、端子突起部２２が係止凹部３２に嵌合し係止された状態で、端子突起部２２の係止面２２ａと当接することで、当該端子２が端子挿入孔３１から抜けることを規制する。一対の回転規制壁面３２ｂは、端子突起部２２が係止凹部３２に嵌合し係止された状態で、端子突起部２２の各側面と当接することで、当該端子２の周方向両側への回転を規制する。
【００２９】
なお、上述したように、一対の回転規制壁面３２ｂは、一対の突起壁体４４ｂの表面に形成される。そして、一対の突起壁体４４ｂを含むハウジング本体４（コネクタハウジング３）は、樹脂成形によって構成される。この場合、ハウジング本体４は、上記突起壁体４４ｂが樹脂の最終充填位置となるようにする。
【００３０】
第１螺旋ガイド面３３は、図９、図１０、図１１、図１３にも示すように、端子挿入孔３１を形成する挿入孔壁面３１ｃに挿入方向に沿って端子挿入開口３１ａ側から係止凹部３２側に向かって螺旋状に形成される。第１螺旋ガイド面３３は、始端が挿入孔壁面３１ｃを構成するスペーサ部挿入孔壁面５１ａにおける挿入方向後側の端部に位置し、終端が挿入孔壁面３１ｃを構成する本体部挿入孔壁面４１ａにおけるランス部４４の基端部４４ａの近傍に位置している。つまり、第１螺旋ガイド面３３は、スペーサ５に形成されたスペーサ部挿入孔５１のスペーサ部挿入孔壁面５１ａからハウジング本体４の本体部４３に形成された本体部挿入孔４１の本体部挿入孔壁面４１ａに渡って連続して形成される。第１螺旋ガイド面３３は、端子突起部２２の側面部分が当接可能な面として形成される。第１螺旋ガイド面３３は、端子挿入開口３１ａ側の始端の周方向における位置が、周方向における係止凹部３２の位置に対して端子挿入孔３１の中心軸線周りに約１８０°程度、反対側に位置する。第１螺旋ガイド面３３は、挿入方向前側を視て、始端においてほぼ径方向に沿って延在し、終端にかけて端子挿入孔３１の中心軸線周りに右回り（時計回り）で約１８０°程度で旋回するようにして３次曲面を形成する。第１螺旋ガイド面３３は、端子挿入開口３１ａを介した端子挿入孔３１への端子２の挿入に伴って端子突起部２２を周方向の一方側、ここでは挿入方向前側を視て右回り（時計回り）側に回転させながら係止凹部３２側に案内可能である。つまり、第１螺旋ガイド面３３は、端子突起部２２を螺旋状の回転軌跡（挿入方向前側を視て右回り（時計回り）の回転軌跡）で係止凹部３２側に向かって移動させることができる。
【００３１】
第２螺旋ガイド面３４は、図９、図１０、図１１、図１３にも示すように、第１螺旋ガイド面３３とほぼ同様に構成される。ただし、第２螺旋ガイド面３４は、螺旋の方向が第１螺旋ガイド面３３と異なる。具体的には、第２螺旋ガイド面３４は、端子挿入孔３１を形成する挿入孔壁面３１ｃに挿入方向に沿って端子挿入開口３１ａ側から係止凹部３２側に向かって螺旋状に形成される。第２螺旋ガイド面３４は、始端が挿入孔壁面３１ｃを構成するスペーサ部挿入孔壁面５１ａにおける挿入方向後側の端部に位置し、終端が挿入孔壁面３１ｃを構成する本体部挿入孔壁面４１ａにおけるランス部４４の基端部４４ａの近傍に位置している。第２螺旋ガイド面３４の始端の位置、及び、終端の位置は、第１螺旋ガイド面３３の始端の位置、及び、終端の位置とほぼ一致している。つまり、第２螺旋ガイド面３４は、スペーサ５に形成されたスペーサ部挿入孔５１のスペーサ部挿入孔壁面５１ａからハウジング本体４の本体部４３に形成された本体部挿入孔４１の本体部挿入孔壁面４１ａに渡って連続して形成される。第２螺旋ガイド面３４は、端子突起部２２の側面部分が当接可能な面として形成される。第２螺旋ガイド面３４は、端子挿入開口３１ａ側の始端の周方向における位置が、周方向における係止凹部３２の位置に対して端子挿入孔３１の中心軸線周りに約１８０°程度、反対側に位置する。第２螺旋ガイド面３４は、挿入方向前側を視て、始端においてほぼ径方向に沿って延在し、終端にかけて端子挿入孔３１の中心軸線周りに左回り（反時計回り）で約１８０°程度で旋回するようにして３次曲面を形成する。第２螺旋ガイド面３４は、端子挿入開口３１ａを介した端子挿入孔３１への端子２の挿入に伴って端子突起部２２を周方向の他方側、ここでは挿入方向前側を視て左回り（反時計回り）側に回転させながら係止凹部３２側に案内可能である。つまり、第２螺旋ガイド面３４は、端子突起部２２を螺旋状の回転軌跡（挿入方向前側を視て左回り（反時計回り）の回転軌跡）で係止凹部３２側に向かって移動させることができる。
【００３２】
振分部３５は、図１３にも示すように、挿入孔壁面３１ｃ、ここでは、挿入孔壁面３１ｃを構成するスペーサ部挿入孔壁面５１ａに形成される。つまり、振分部３５は、端子挿入孔３１内、ここでは、端子挿入孔３１を構成するスペーサ部挿入孔５１内に形成される。振分部３５は、第１螺旋ガイド面３３の端子挿入開口３１ａ側の端部（始端）と第２螺旋ガイド面３４の端子挿入開口３１ａ側の端部（始端）とが接続されることで角部状に形成される。振分部３５は、角部状の稜線３５ａが径方向に沿って延在する。また、振分部３５は、角部状の稜線３５ａの先端部（径方向内側の部分）が面取り部３５ｂとして形成されている。振分部３５は、周方向における係止凹部３２の位置に対して端子挿入孔３１の中心軸線周りに約１８０°程度、反対側に位置する。振分部３５は、端子挿入開口３１ａを介した端子挿入孔３１への端子２の挿入に伴って、稜線３５ａを境界として、端子突起部２２を第１螺旋ガイド面３３側又は第２螺旋ガイド面３４側のいずれか一方に振り分け可能である。典型的には、振分部３５は、端子突起部２２の頂点が稜線３５ａより第１螺旋ガイド面３３側に位置している場合には端子突起部２２を第１螺旋ガイド面３３側に振り分ける。振分部３５は、端子突起部２２の頂点が稜線３５ａより第２螺旋ガイド面３４側に位置している場合には端子突起部２２を第２螺旋ガイド面３４側に振り分ける。
【００３３】
押上部３６は、図１４にも示すように、挿入孔壁面３１ｃ、ここでは、挿入孔壁面３１ｃを構成するスペーサ部挿入孔壁面５１ａに形成される。つまり、押上部３６は、端子挿入孔３１内、ここでは、端子挿入孔３１を構成するスペーサ部挿入孔５１内に形成される。押上部３６は、端子挿入孔３１を形成する挿入孔壁面３１ｃ、ここでは、スペーサ部挿入孔５１を形成するスペーサ部挿入孔壁面５１ａから内方に突出して形成される内面突起部である。押上部３６は、スペーサ部挿入孔壁面５１ａにおいて振分部３５と径方向に対向する位置に当該スペーサ部挿入孔壁面５１ａから振分部３５側に突出して形成される。つまり、押上部３６は、周方向における振分部３５の位置に対して端子挿入孔３１の中心軸線周りに約１８０°程度、反対側に位置する。言い換えれば、押上部３６は、周方向における係止凹部３２の位置とほぼ同等の周方向位置に形成される。押上部３６は、端子挿入開口３１ａを介した端子挿入孔３１への端子２の挿入に伴って端子２の先端が当接して当該端子２を、端子突起部２２が振分部３５に当接する側に押し上げるように、挿入方向後側の端部が斜面として形成される。
【００３４】
またここでは、押上部３６は、端子挿入開口３１ａ側の端部が当該端子挿入開口３１ａ側に突出した角部状に形成され、当該角部状の稜線３６ａが径方向に沿って延在する。そして、押上部３６は、稜線３６ａを境界として両側の斜面が一対の第１ガイド面３６ｂ、３６ｃを構成する。押上部３６は、端子挿入孔３１への端子２の挿入に伴って、稜線３６ａを境界として、端子突起部２２を周方向の一方側又は他方側のいずれか一方に振り分け可能である。典型的には、押上部３６は、端子突起部２２の頂点が稜線３６ａより第１ガイド面３６ｂ側に位置している場合には端子突起部２２を第１ガイド面３６ｂ側、すなわち、挿入方向前側を視て右側に振り分ける。押上部３６は、端子突起部２２の頂点が稜線３６ａより第１ガイド面３６ｃ側に位置している場合には端子突起部２２を第１ガイド面３６ｃ側、すなわち、挿入方向前側を視て左側に振り分ける。
【００３５】
さらにここでは、押上部３６は、端子挿入開口３１ａとは反対側の端部が当該端子挿入開口３１ａとは反対側に突出した角部状に形成され、当該角部状の稜線３６ｄが径方向に沿って延在する。そして、押上部３６は、稜線３６ｄを境界として両側の斜面が一対の第２ガイド面３６ｅ、３６ｆを構成する。押上部３６は、端子挿入孔３１からの端子２の抜き出しに伴って、稜線３６ｄを境界として、端子突起部２２を周方向の一方側又は他方側のいずれか一方に振り分け可能である。典型的には、押上部３６は、端子突起部２２の頂点が稜線３６ｄより第２ガイド面３６ｅ側に位置している場合には端子突起部２２を第２ガイド面３６ｅ側、すなわち、挿入方向後側を視て左側に振り分ける。押上部３６は、端子突起部２２の頂点が稜線３６ｄより第２ガイド面３６ｆ側に位置している場合には端子突起部２２を第２ガイド面３６ｆ側、すなわち、挿入方向後側を視て右側に振り分ける。
【００３６】
押上部３６は、上記の第１ガイド面３６ｂ、３６ｃ、第２ガイド面３６ｅ、３６ｆによって全体として略ひし形状（あるいは略六角形形状）に形成される。そして、押上部３６は、挿入方向に視て周方向に対して係止凹部３２の範囲内に形成される。ここでは、押上部３６は、周方向の中心位置が係止凹部３２の周方向の中心位置とほぼ一致し、かつ、周方向に対して係止凹部３２より小さく形成される。また、押上部３６は、挿入方向（軸方向）に対しては、第１螺旋ガイド面３３、第２螺旋ガイド面３４による端子突起部２２の螺旋状の回転軌跡を阻害しない長さに形成される。
【００３７】
上記のように構成されるコネクタ１は、コネクタハウジング３に形成された各端子挿入孔３１に対して、それぞれ挿入方向後側から端子２が挿入される。以下、図１０、図１１、図１２、図１５、図１６、図１７、図１８を参照してコネクタ１の組み立てについて説明する。
【００３８】
ここで、スペーサ５は、ハウジング本体４に対して径方向に沿って端子挿入位置と二重係止位置とに移動可能である。端子挿入位置は、図１に示すように、スペーサ５がハウジング本体４に仮組み付けされ端子挿入開口３１ａを介した端子挿入孔３１への端子２の挿入を許容する位置である。一方、二重係止位置は、図２０に示すように、スペーサ５がハウジング本体４に本組み付けされ端子突起部２２が係止凹部３２に係止された状態の端子２とスペーサ５とが係合し端子挿入孔３１からの端子２の抜けを規制する位置である。コネクタ１は、各端子挿入孔３１に対して端子２を挿入する際にはスペーサ５が端子挿入位置に位置付けられる。コネクタ１は、スペーサ５が端子挿入位置に位置付けられた状態では第１螺旋ガイド面３３、第２螺旋ガイド面３４がそれぞれスペーサ５、ハウジング本体４に渡って連続する。言い換えれば、端子挿入位置は、スペーサ５に形成された第１螺旋ガイド面３３、第２螺旋ガイド面３４とハウジング本体４に形成された第１螺旋ガイド面３３、第２螺旋ガイド面３４とがそれぞれ連続する位置である。なお、フロントホルダー６は、端子挿入孔３１への端子２の挿入に先立ってハウジング本体４に装着される。
【００３９】
コネクタ１は、端子挿入開口３１ａを介して端子２を端子挿入孔３１へ挿入する際に、端子突起部２２が挿入方向に対して係止凹部３２と正対する位置からずれた位置で当該端子挿入孔３１に挿入された場合には、端子突起部２２が第１螺旋ガイド面３３、又は、第２螺旋ガイド面３４によって案内されることで挿入方向に沿いかつ周方向に回転しながら係止凹部３２側に案内される。第１螺旋ガイド面３３、第２螺旋ガイド面３４は、端子２を端子挿入孔３１に挿入する挿入方向に沿った挿入力の一部を、当該端子２を周方向に沿って回転させる回転力に変換することで、端子突起部２２を介して端子２に回転を与える。
【００４０】
この場合、コネクタ１は、端子挿入孔３１への端子２の挿入に伴って端子２の先端が押上部３６に当接して当該端子２が振分部３５に押し上げられ端子２の端子突起部２２が振分部３５側に押し上げられる。そして、コネクタ１は、図１５に示すように、端子突起部２２が挿入方向に対して第１螺旋ガイド面３３の端部（始端）と第２螺旋ガイド面３４の端部（始端）との接続部分に正対する位置で当該端子挿入孔３１に挿入された場合には、端子突起部２２が振分部３５によって第１螺旋ガイド面３３側、又は、第２螺旋ガイド面３４側に振り分けられる。そして、コネクタ１は、端子突起部２２が第１螺旋ガイド面３３、又は、第２螺旋ガイド面３４によって案内されることで螺旋状の回転軌跡で係止凹部３２側に向かって移動し当該係止凹部３２に嵌合し係止される。これにより、コネクタ１は、コネクタハウジング３に形成された端子挿入孔３１に対して端子２が係止され保持される。
【００４１】
図１０、図１１、図１６、図１７は、端子突起部２２が第１螺旋ガイド面３３側に振り分けられた場合を例示している。コネクタ１は、端子突起部２２が第１螺旋ガイド面３３によって案内されることで螺旋状の回転軌跡（挿入方向前側を視て右回り（時計回り）の回転軌跡）で係止凹部３２側に向かって移動し、図１０、図１６に示す状態から図１１、図１７に示す状態を経て図１２、図１８に示すように端子突起部２２が係止凹部３２に嵌合し係止された状態に至る。コネクタ１は、図１２、図１８に示すように、端子突起部２２が係止凹部３２に嵌合し係止された状態で、端子突起部２２の係止面２２ａと抜け規制壁面３２ａとが当接することで、当該端子２が端子挿入孔３１から抜けることが規制され、かつ、端子突起部２２の各側面と一対の回転規制壁面３２ｂとが当接することで、当該端子２の周方向両側への回転が規制される。
【００４２】
一方、コネクタ１は、端子挿入開口３１ａを介して端子２を端子挿入孔３１へ挿入する際に、端子突起部２２が挿入方向に対して係止凹部３２と正対する位置で当該端子挿入孔３１に挿入された場合には、端子突起部２２が挿入方向に沿って係止凹部３２側に向かって移動し当該係止凹部３２に嵌合し係止される。このとき、コネクタ１は、図１９に示すように、端子突起部２２が押上部３６に当接しても、第１ガイド面３６ｂ、３６ｃによって周方向の一方側又は他方側のいずれか一方に振り分けられる。
【００４３】
そして、コネクタ１は、端子突起部２２が係止凹部３２に嵌合し係止された状態（１次係止状態）で、図２０に示すように、スペーサ５が二重係止位置に位置付けられることで、端子２の挿入方向への移動が規制され二重係止される（２次係止状態）。すなわち、スペーサ５は、二重係止位置に位置付けられると、当該スペーサ５の挿入方向前側の端面の一部が端子２の位置決め凹部２４内に入り込み、電気接続部２１の円筒状部２１ａの挿入方向後側の端面と当接し端子２の挿入方向後側への移動を規制する。スペーサ５は、二重係止位置に位置付けられた状態で係止機構を介してハウジング本体４に係止される。すなわち、ハウジング本体４に本組み付けられる。なお、スペーサ５は、ハウジング本体４のスペーサ嵌合凹部４２に一部が組み付けられた状態で当該係止機構による係止が未だなされていない状態が仮組み付けの状態に相当する。
【００４４】
以上で説明したコネクタ１によれば、円筒状に形成されると共に外面から突出して設けられる端子突起部２２を有する端子２と、円柱状に形成され端子挿入開口３１ａから端子２を挿入可能である端子挿入孔３１、端子２が端子挿入孔３１に挿入された状態で端子突起部２２が嵌合し係止される係止凹部３２、及び、端子突起部２２が係止凹部３２に嵌合し係止された状態で、端子突起部２２と当接し端子２の周方向両側への回転を規制する一対の回転規制壁面３２ｂを有するコネクタハウジング３とを備える。したがって、コネクタ１は、端子突起部２２が係止凹部３２に嵌合し係止された状態で、端子突起部２２の各側面と一対の回転規制壁面３２ｂとが当接することで、当該端子２の周方向両側への回転を規制することができる。この結果、コネクタ１は、丸形端子である端子２の周方向に対するガタツキを抑制することができ、例えば、相手方コネクタ２０１の端子２０２との接点ズレが発生することを抑制することができる。
【００４５】
このとき、このコネクタ１によれば、回転規制壁面３２ｂは、先端を有する突起壁体４４ｂの表面に形成され、コネクタハウジング３は、樹脂成形によって構成され、突起壁体４４ｂが樹脂の最終充填位置となる。したがって、コネクタ１は、仮にコネクタハウジング３の成形時に樹脂が不足した場合でも、最終充填位置となる突起壁体４４ｂでは少しでも回転規制壁面３２ｂが形成されていればよいので多少の成形不良を許容することができ、その上で端子２の周方向に対するガタツキを抑制することができる。
【００４６】
さらに、以上で説明したコネクタ１によれば、コネクタハウジング３は、第１螺旋ガイド面３３、第２螺旋ガイド面３４、及び、振分部３５を有する。したがって、コネクタ１は、上述したように、端子挿入孔３１への端子２の挿入の際には、端子挿入孔３１に対する端子２の周方向（軸線周り方向）の方向性にかかわらず、言い換えれば、挿入開始時の、端子挿入孔３１に対する端子突起部２２の相対的な位置関係にかかわらず、当該端子２の端子突起部２２を係止凹部３２に嵌合させ係止することができる。この結果、このコネクタ１は、挿入時の端子２の周方向の方向性を気にしなくても、言い換えれば、端子２における端子突起部２２の位置を確認しなくても、容易に当該端子２を端子挿入孔３１に挿入し端子突起部２２を係止凹部３２に嵌合させ係止することができる。これにより、コネクタ１は、適正な組み付け性を確保することができ、その上で、端子２のガタツキを抑制することができる。これにより、コネクタ１は、例えば、相手方コネクタ２０１の端子２０２に対する端子２の方向性を確保した上で、コネクタハウジング３への端子２の組み付け性を向上することができ、コネクタ１を組み立てる際の作業負荷を低減することができる。
【００４７】
さらに、以上で説明したコネクタ１によれば、第１螺旋ガイド面３３、第２螺旋ガイド面３４は、端子２を端子挿入孔３１に挿入する挿入方向に沿った挿入力の一部を、当該端子２を周方向に沿って回転させる回転力に変換する。したがって、コネクタ１は、第１螺旋ガイド面３３、第２螺旋ガイド面３４によって端子２に対して周方向に沿った回転を与えることができるので、端子挿入孔３１への端子２の挿入の際の端子２の周方向の方向性にかかわらず、端子突起部２２を係止凹部３２側に向かわせることができる。
【００４８】
さらに、以上で説明したコネクタ１によれば、コネクタハウジング３は、挿入孔壁面３１ｃにおいて振分部３５と径方向に対向する位置に当該挿入孔壁面３１ｃから振分部３５側に突出して形成され、端子挿入開口３１ａを介した端子挿入孔３１への端子２の挿入に伴って端子２の先端が当接して当該端子２を端子突起部２２が振分部３５に当接する側に押し上げる押上部３６を有する。したがって、コネクタ１は、端子突起部２２が挿入方向に対して係止凹部３２と正対する位置からずれた位置で当該端子挿入孔３１に挿入された場合に、押上部３６によって端子突起部２２を振分部３５側に押し上げて確実に第１螺旋ガイド面３３、又は、第２螺旋ガイド面３４に振り分けることができる。
【００４９】
さらに、以上で説明したコネクタ１によれば、押上部３６は、端子挿入開口３１ａ側の端部が当該端子挿入開口３１ａ側に突出した角部状に形成され端子挿入開口３１ａを介した端子挿入孔３１への端子２の挿入に伴って端子突起部２２を周方向の一方側又は他方側のいずれか一方に振り分け可能である。したがって、コネクタ１は、端子突起部２２が挿入方向に対して係止凹部３２と正対する位置で当該端子挿入孔３１に挿入された場合に、端子突起部２２が押上部３６に当接しても端子突起部２２が周方向の一方側又は他方側のいずれか一方に振り分けられるので、端子突起部２２と押上部３６とが衝突していわゆるどつきが発生することを抑制することができる。
【００５０】
さらに、以上で説明したコネクタ１によれば、押上部３６は、端子挿入開口３１ａとは反対側の端部が当該端子挿入開口３１ａとは反対側に突出した角部状に形成され端子挿入孔３１からの端子２の抜き出しに伴って端子突起部２２を周方向の一方側又は他方側のいずれか一方に振り分け可能である。したがって、コネクタ１は、端子挿入孔３１からの端子２の抜き出しの際に端子突起部２２が押上部３６に当接しても端子突起部２２が周方向の一方側又は他方側のいずれか一方に振り分けられるので、端子突起部２２と押上部３６とが衝突していわゆるどつきが発生することを抑制することができる。
【００５１】
さらに、以上で説明したコネクタ１によれば、振分部３５、及び、押上部３６は、角部状の稜線３５ａ、３６ａ、３６ｄが径方向に沿って延在する。したがって、振分部３５、押上部３６は、稜線３５ａ、３６ａ、３６ｄを境界として、確実に端子突起部２２を周方向の一方側又は他方側のいずれか一方に振り分けることができる。
【００５２】
さらに、以上で説明したコネクタ１によれば、押上部３６は、挿入方向に視て周方向に対して係止凹部３２の範囲内に形成される。したがって、コネクタ１は、端子突起部２２が挿入方向に対して係止凹部３２と正対する位置で当該端子挿入孔３１に挿入され押上部３６により周方向の一方側又は他方側のいずれか一方に振り分けられた場合であっても、端子突起部２２が挿入方向に沿って移動し係止凹部３２に嵌合し易い構成とすることができる。
【００５３】
さらに、以上で説明したコネクタ１によれば、コネクタハウジング３は、端子挿入開口３１ａ、及び、係止凹部３２が形成されたハウジング本体４と、ハウジング本体４に対して端子挿入開口３１ａと係止凹部３２との間に着脱可能に組み付けられるスペーサ５とを含んで構成され、端子挿入孔３１、第１螺旋ガイド面３３、及び、第２螺旋ガイド面３４は、挿入方向に沿ってハウジング本体４とスペーサ５とに渡って形成される。したがって、コネクタ１は、端子挿入孔３１、第１螺旋ガイド面３３、及び、第２螺旋ガイド面３４の挿入方向に沿った長さを相対的に長く確保しやすい構成とすることができる。この結果、コネクタ１は、第１螺旋ガイド面３３、第２螺旋ガイド面３４によって端子突起部２２を比較的に緩やかな回転軌跡で係止凹部３２側に案内することができるので、組み付け性を向上することができる。
【００５４】
さらに、以上で説明したコネクタ１によれば、スペーサ５は、ハウジング本体４に仮組み付けされ端子挿入開口３１ａを介した端子挿入孔３１への端子２の挿入を許容する端子挿入位置と、ハウジング本体４に本組み付けされ端子突起部２２が係止凹部３２に係止された状態の端子２と係合し端子挿入孔３１からの端子２の抜けを規制する二重係止位置とに移動可能である。したがって、コネクタ１は、スペーサ５を端子挿入位置に位置付けることで端子挿入孔３１に端子２を挿入することができる一方、スペーサ５を二重係止位置に位置付けることで端子２の挿入方向後側への移動を規制し、当該端子２を端子挿入孔３１に確実に保持するための保持力を十分に確保することができる。
【００５５】
さらに、以上で説明したコネクタ１によれば、コネクタハウジング３は、ハウジング本体４の端子挿入開口３１ａとは反対側に形成され端子２と電気的に接続される端子２０２が挿入される相手方端子挿入開口３１ｂを有するフロントホルダー６を含んで構成され、端子挿入孔３１は、挿入方向に沿ってハウジング本体４とスペーサ５とフロントホルダー６とに渡って形成される。したがって、コネクタ１は、フロントホルダー６によって端子２の挿入方向前側のガタツキを抑えることができるので、相手方コネクタ２０１の端子２０２との接点ズレが発生することをより確実に抑制することができる。
【００５６】
また、以上で説明したワイヤハーネスＷＨによれば、電線３０１と、電線３０１の末端に接続された上記コネクタ１とを備える。したがって、ワイヤハーネスＷＨは、上記で説明したコネクタ１が適用されるので、適正な組み付け性を確保した上で、端子２のガタツキを抑制することができる。
【００５７】
なお、上述した本発明の実施形態に係るコネクタは、上述した実施形態に限定されず、特許請求の範囲に記載された範囲で種々の変更が可能である。
【００５８】
以上の説明では、コネクタ１は、ワイヤハーネスＷＨを構成する電線３０１と電気機器としてのＥＣＵとの接続に使用されるメス型のＥＣＵコネクタであるものとして説明したがこれに限らず、オス型のコネクタに適用されてもよいし、ＥＣＵコネクタ以外のコネクタに適用されてもよい。端子２は、オス型の丸形端子であってもよい。
【００５９】
以上の説明では、コネクタハウジング３は、第１ハウジングとしてのハウジング本体４と第２ハウジングとしてのスペーサ５と第３ハウジングとしてのフロントホルダー６とを含んで構成されるものとして説明したがこれに限らず、例えば、これらが一体で形成されてもよい。つまり、端子挿入孔３１は、軸方向（挿入方向）に沿ってハウジング本体４とスペーサ５とフロントホルダー６とに渡って形成され、端子挿入開口３１ａ、係止凹部３２は、ハウジング本体４に形成され、第１螺旋ガイド面３３、第２螺旋ガイド面３４は、軸方向（挿入方向）に沿ってハウジング本体４とスペーサ５とに渡って形成され、振分部３５、押上部３６は、スペーサ５に形成されるものとして説明したがこれに限らない。また、コネクタ１は、コネクタハウジング３の所定の位置にさらにマットシール（防水材）を備えていてもよい。
【００６０】
以上の説明では、端子突起部２２は、電気接続部２１において軸方向の中央部よりやや前側に形成されるものとして説明したがこれに限らず、例えば、挿入方向前側の先端に形成されてもよい。
【００６１】
以上の説明では、押上部３６は、稜線３６ａ、３６ｄ、第１ガイド面３６ｂ、３６ｃ、第２ガイド面３６ｅ、３６ｆを含んで構成され、全体として略ひし形状（あるいは略六角形形状）に形成されるものとして説明したがこれに限らず、他の形状であってもよい。さらに、押上部３６は、挿入方向に視て周方向に対して係止凹部３２の範囲内に形成されるものとして説明したがこれに限らず、例えば、一部が係止凹部３２の範囲外に位置してもよい。また、コネクタハウジング３は、押上部３６を有するものとして説明したがこれに限らず、押上部３６自体を有さない構成であってもよい。
【００６２】
以上の説明では、コネクタハウジング３は、第１螺旋ガイド面３３、第２螺旋ガイド面３４、及び、振分部３５を有するものとして説明したがこれに限らず、第１螺旋ガイド面３３、第２螺旋ガイド面３４、振分部３５自体を有さない構成であってもよい。
【符号の説明】
【００６３】
１    コネクタ
２    端子
３    コネクタハウジング
４    ハウジング本体
５    スペーサ
６    フロントホルダー
２２    端子突起部
３１    端子挿入孔
３１ａ    端子挿入開口
３１ｂ    相手方端子挿入開口
３１ｃ    挿入孔壁面
３２    係止凹部
３２ｂ    回転規制壁面
３３    第１螺旋ガイド面
３４    第２螺旋ガイド面
３５    振分部
３５ａ、３６ａ、３６ｄ    稜線
３６    押上部
３６ｂ、３６ｃ    第１ガイド面
３６ｅ、３６ｆ    第２ガイド面
４４ｂ    突起壁体
２０２    端子
３０１    電線
ＷＨ    ワイヤハーネス
【図１】
2016134224.tif 000003
【図２】
2016134224.tif 000004
【図３】
2016134224.tif 000005
【図４】
2016134224.tif 000006
【図５】
2016134224.tif 000007
【図６】
2016134224.tif 000008
【図７】
2016134224.tif 000009
【図８】
2016134224.tif 000010
【図９】
2016134224.tif 000011
【図１０】
2016134224.tif 000012
【図１１】
2016134224.tif 000013
【図１２】
2016134224.tif 000014
【図１３】
2016134224.tif 000015
【図１４】
2016134224.tif 000016
【図１５】
2016134224.tif 000017
【図１６】
2016134224.tif 000018
【図１７】
2016134224.tif 000019
【図１８】
2016134224.tif 000020
【図１９】
2016134224.tif 000021
【図２０】
2016134224.tif 000022